(57)【要約】   【課題】  単純な操作で確実に分離肺換気を行うことができ、かつ、手術中に器具のずれや脱落を防止する。  【解決手段】  ダブルルーメンチューブ１０のポート部材２０、２１は、最下流側に位置する共通ポート３６と、共通ポート３６と直線上に連なる第１ポート３２と、共通ポート３６および第１のポート３２と直交して配置される第２のポート３４とを有する。第２ポートの管体３０内部には、膨張、収縮可能なバルーン５１が配置され、バルーン５１は、インフレーションライン４１と接続される。インフレーションライン４１の他端には、先端に一方弁４３が取り付けられたパイロットバルーン４２が連結される。【選択図】  図２
2009125184.tif 000002
【特許請求の範囲】
【請求項１】
ダブルルーメン式の２つの管を備えた本体と、
前記本体の上流側端部に取り付けられ、前記本体の２つの管を分岐させる分岐部材と、
分岐部材のさらに上流側に取り付けられる、３つの入出力ポートを備えた２つのポート部材と、
前記本体の下流側に取り付けられた、気管を閉鎖する気管用カフと、
前記気管用カフの下流側に位置し、前記本体の一方の管と連通し、一方の肺に麻酔ガスや空気を供給し、また、当該一方の肺内を脱気するための第１の開口部と、
前記第１の開口部からさらに下流側に延びる延長部であって、膨張することにより他の肺に繋がる気管支を閉鎖する気管支用カフ、および、下流側の最先端に位置し、当該他の肺に麻酔ガスや空気を供給し、また、当該他の肺を脱気するための第２の開口部を有する延長部と、
前記気管用カフに空気を供給する第１の空気供給部材と、
前記気管支用カフに空気を供給する第２の空気供給部材と、を備えたダブルルーメンチューブであって、
前記ポート部材が、それぞれ、
最下流側に位置する共通ポートと、
前記共通ポートと直線上に連なる第１のポートと、
前記共通ポートおよび第１のポートと、所定の角度を持って配置される第２のポートと、
前記第１のポート、第２のポートおよび共通ポートとを連結する連結部と、
前記第２のポートの管体内部に配置された、膨張、収縮可能なバルーンと、
下流側の端部で前記管体に達し、当該端部で前記バルーンと連結されるインフレーションラインと、
前記インフレーションラインの他端に取り付けられ、前記インフレーションラインを介して前記バルーンに空気を供給し、前記バルーンを膨張させて前記管体を閉鎖し、また、前記バルーンを脱気し、前記バルーンを収縮させて前記管体を開放する第２ポート閉鎖・開放部材と、を有することを特徴とする分離肺換気用ダブルルーメンチューブ。
【請求項２】
前記第２のポートの管体が少なくとも半透明であり、かつ、前記バルーンが、前記管体とは異なる色に着色されていることを特徴とする請求項１に記載の分離肺換気用ダブルルーメンチューブ。
【請求項３】
前記第２ポート閉鎖・開放部材が、前記インフレーションラインを介して前記バルーンに空気を供給するパイロットバルーンと、パイロットバルーンの端部に取り付けられ、通常は、パイロットバルーンから外部への空気の流出を防ぐように遮断され、かつ、一定の操作により開放されるように構成された一方弁と、を有することを特徴とする請求項１または２に記載の分離肺換気用ダブルルーメンチューブ。
【請求項４】
前記バルーンの上側或いは下側が、部分的に、前記管体の上側内壁或いは下側内壁に接着され、収縮状態のバルーンが、前記管体の上部或いは下部にほぼ密着した状態となることを特徴とする請求項１ないし３の何れか一項に記載の分離肺換気用ダブルルーメンチューブ。
【発明の詳細な説明】
【技術分野】
【０００１】
本発明は、分離肺換気の際に使用するダブルルーメンチューブに関する。
【背景技術】
【０００２】
左右の肺を別々に換気する分離肺換気は、胸腔鏡補助下手術、胸部大動脈瘤人工血管置換術、食道癌根治術、肺切除術の片肺換気時において行われている。左右の肺を別々に換気するために、二重管の構造を有するダブルルーメンチューブや、気管支ブロッカーが使用される。
【０００３】
ダブルルーメンチューブでは、非特許文献１に記載されているように、気管粘膜を損傷しにくいブロンコキャス（登録商標）がしばしば使用されている。
【０００４】
気管支ブロッカーについては、特許文献１や特許文献２に開示されたような改良が提案されている。
【０００５】
図６は、従来の分離肺換気用ダブルルーメンチューブの例を示す図である。図６に示す分離肺換気用ダブルルーメンチューブ（以下、単に「ダブルルーメンチューブ」と称する。）は、いわゆるブロンコキャス（登録商標）と称されるものである。
【０００６】
図６に示すように、ダブルルーメンチューブ１００は、ダブルルーメン式の管を備えた本体１１と、本体１１の上流側（図６における上側）に取り付けられ、本体１１の２つの管を分岐させる分岐部材１２と、分岐部材１２のさらに上流側に取り付けられる２つのスリーブ部材１３、１４とを有する。
【０００７】
本体の下流側には、後述するように膨張することで気管を閉鎖する気管用カフ１５と、さらにその下流側に、前記本体１１の一方の管と連通し、右肺に麻酔ガスや空気等を供給し、或いは、右肺内を脱気するための右肺用開口部１７と、さらに下流側に延びる左気管支延長部１８と、を有している。
【０００８】
左気管支延長部１８には、膨張することで左の気管支を閉鎖する気管支用カフ１６と、最先端に左肺に麻酔ガスや空気等を供給し、或いは、左肺を脱気するための左肺用開口部１９とが設けられている。
【０００９】
さらに、スリーブ部材１３、１４の上流側先端には、それぞれ、３つの入出力ポートを有するポート部材２２０、２２１が取り付けられる。ポート部材２２０、２２１において、最上流（図６における上側）のそれぞれの開口には当該開口を閉じるための蓋体２２３、２２４が設けられている。また、ポート部材２２０、２２１において垂直方向に延びるポート２２５、２２６は、弾性変形可能な材料で形成される、したがって、クランプ（図示せず）で、破線部分を挟むことで、当該ポート２２５、２２６を閉鎖することができる。
【００１０】
図６に示すダブルルーメンチューブ１００においては、右肺用開口部１７とポート部材２２１とが連通し、左肺用開口部１９とポート部材２２０とが連通している。
【００１１】
ポート部材２２０、２２１のそれぞれから垂直に延びる垂直ポート２２５、２２６の先端には、チューブ（図示せず）がそれぞれ連結される。これらチューブは、麻酔ガスを供給する麻酔ガス供給装置および人工呼吸器と連結される。
【００１２】
本体１１からは、気管支用カフ１６と連通する第１のインフレーションライン２２が延び、第１のインフレーションライン２２の端部には、一方弁が先端に取り付けられた第１のパイロットバルーン２４が連結される。
【００１３】
また、本体１１からは、気管用カフ１５と連通する第２のインフレーションライン２３が延び、第２のインフレーションライン２３の端部には、一方弁が先端に取り付けられた第２のパイロットバルーン２５が連結される。パイロットバルーン２５、２６を、医師が押圧操作することにより、第１のインフレーションライン２２および第２のインフレーションラインをそれぞれ空気が通過して、気管支用カフ１６および気管用カフ１５のそれぞれが膨張する。
【００１４】
分離肺換気を行うために、ダブルルーメンチューブ１００は、医師により気管に挿管される。気管用カフ１５が気管の所定の位置に達し、かつ、気管支用カフ１６が、左気管支の所定の位置に達した状態で、パイロットバルーン２４、２５を押圧操作することにより、気管支用カフ１６および気管用カフ１５は膨張する。
【００１５】
気管支用カフ１６が膨張することにより、左気管支は閉鎖され、左肺には、左肺用開口部１９を介して、空気等が供給されることになる。その一方、気管用カフ１５および気管支用カフ１６が膨張することにより、気管および左気管支も閉鎖され、右肺には、右肺用開口部１７を介して、空気等が供給されるようになる。
【００１６】
従来のダブルルーメンチューブ１００において、一方の肺の換気を止めて肺をしぼませる場合について説明する。右肺だけを換気して、左肺をしぼませる場合には、左気管支と連通するポート部材２２０の垂直ポート２２５を、クランプ（図示せず）により閉鎖する。次いで、ポート部材２２０の上部に配置された蓋２２３を開けることで、左肺の空気を排出する。これにより左肺をしぼませることができる。
【００１７】
医師が、蓋２２３を閉じ、かつ、クランプを取り外すことで、左肺が再び換気される。
【００１８】
右肺の場合には、右肺用のポート部材２２１について同様の操作が施される。
【非特許文献１】日本救急医学会・医学用語解説集「分離肺換気」、有限責任中間法人日本救急医学会ホームページ、［ｏｎ  ｌｉｎｅ］、２００７年２月、［平成１９年１１月６日検索］、インターネット＜ＵＲＬ：http://www.jaam.jp/html/report/dictionary/word/0419.htm＞
【特許文献１】特開２００４−１５４２６８号公報
【特許文献２】特開２００２−１１３１０１号公報号公報
【発明の開示】
【発明が解決しようとする課題】
【００１９】
従来のダブルルーメンチューブを使用する場合には、医師がポート部材２２０、２２１の蓋２２３、２２４の開閉、クランプを用いたポート部材２２０、２２１の垂直ポート２２５、２２６の閉鎖を伴う。つまり、蓋の閉鎖およびクランプによる垂直ポートの閉鎖という二つの行為をほぼ同時に行わなければならない。
【００２０】
また、クランプは、重くかつ大きいため、手術中にクランプが垂直ポート２２５、２２６を閉鎖している状態では、クランプの重量によってダブルルーメンチューブの位置がずれてしまう恐れがある。さらに、クランプが大きいため、医師や看護師が、クランプに触れてしまい、クランプが脱落してしまう可能性もある。
【００２１】
本発明は、医師が単純な操作で確実に分離肺換気を行うことができ、かつ、手術中に器具のずれや脱落を防止することが可能な分離肺換気用ダブルルーメンチューブを提供することを目的とする。
【課題を解決するための手段】
【００２２】
本発明の目的は、ダブルルーメン式の２つの管を備えた本体と、
前記本体の上流側端部に取り付けられ、前記本体の２つの管を分岐させる分岐部材と、
分岐部材のさらに上流側に取り付けられる、３つの入出力ポートを備えた２つのポート部材と、
前記本体の下流側に取り付けられた、気管を閉鎖する気管用カフと、
前記気管用カフの下流側に位置し、前記本体の一方の管と連通し、一方の肺に麻酔ガスや空気を供給し、また、当該一方の肺内を脱気するための第１の開口部と、
前記第１の開口部からさらに下流側に延びる延長部であって、膨張することにより他の肺に繋がる気管支を閉鎖する気管支用カフ、および、下流側の最先端に位置し、当該他の肺に麻酔ガスや空気を供給し、また、当該他の肺を脱気するための第２の開口部を有する延長部と、
前記気管用カフに空気を供給する第１の空気供給部材と、
前記気管支用カフに空気を供給する第２の空気供給部材と、を備えたダブルルーメンチューブであって、
前記ポート部材が、それぞれ、
最下流側に位置する共通ポートと、
前記共通ポートと直線上に連なる第１のポートと、
前記共通ポートおよび第１のポートと、所定の角度を持って配置される第２のポートと、
前記第１のポート、第２のポートおよび共通ポートとを連結する連結部と、
前記第２のポートの管体内部に配置された、膨張、収縮可能なバルーンと、
下流側の端部で前記管体に達し、当該端部で前記バルーンと連結されるインフレーションラインと、
前記インフレーションラインの他端に取り付けられ、前記インフレーションラインを介して前記バルーンに空気を供給し、前記バルーンを膨張させて前記管体を閉鎖し、また、前記バルーンを脱気し、前記バルーンを収縮させて前記管体を開放する第２ポート閉鎖・開放部材と、を有することを特徴とする分離肺換気用ダブルルーメンチューブにより達成される。
【００２３】
好ましい実施態様においては、前記第２のポートの管体が少なくとも半透明であり、かつ、前記バルーンが、前記管体とは異なる色に着色されている。
【００２４】
別の好ましい実施態様においては、前記第２ポート閉鎖・開放部材が、前記インフレーションラインを介して前記バルーンに空気を供給するパイロットバルーンと、パイロットバルーンの端部に取り付けられ、通常は、パイロットバルーンから外部への空気の流出を防ぐように遮断され、かつ、一定の操作により開放されるように構成された一方弁と、を有する。
【００２５】
また、さらに別の好ましい実施態様においては、前記バルーンの上側或いは下側が、部分的に、前記管体の上側内壁或いは下側内壁に接着され、収縮状態のバルーンが、前記管体の上部或いは下部にほぼ密着した状態となる。
【発明の効果】
【００２６】
本発明によれば、医師が単純な操作で確実に分離肺換気を行うことができ、かつ、手術中に器具のずれや脱落を防止することが可能な分離肺換気用ダブルルーメンチューブを提供することが可能となる。
【発明を実施するための最良の形態】
【００２７】
以下、添付図面を参照して、本発明の実施の形態について説明する。図１は、本発明の実施の形態にかかる分離肺換気用ダブルルーメンチューブの構成例を示す斜視図である。なお、本明細書において、人工呼吸器や麻酔装置に接続される側を上流側、気管、気管支に挿入される側を下流側と称する。
【００２８】
図１に示すように、ダブルルーメンチューブは、ダブルルーメン式の管を備えた本体１１と、本体１１の上流側に取り付けられ、本体１１の２つの管を分岐させる分岐部材１２と、分岐部材１２のさらに上流側に取り付けられる２つのスリーブ部材１３、１４とを有する。
【００２９】
本体の下流側には、後述するように膨張することで気管を閉鎖する気管用カフ１５と、さらにその下流側に、前記本体１１の一方の管と連通し、右肺に麻酔ガスや空気等を供給し、或いは、右肺内を脱気するための右肺用開口部１７と、さらに下流側に延びる左気管支延長部１８と、を有している。
【００３０】
左気管支延長部１８には、膨張することで左の気管支を閉鎖する気管支用カフ１６と、最先端に左肺に麻酔ガスや空気等を供給し、或いは、左肺を脱気するための左肺用開口部１９とが設けられている。
【００３１】
図１に示すダブルルーメンチューブは、左気管支用のものである。無論、右気管支用のダブルルーメンチューブであっても良い。この場合には、図２に示すものとほぼ左右が逆の構成となる。
【００３２】
本体１１からは、気管支用カフ１６と連通する第１のインフレーションライン２２が延び、第１のインフレーションライン２２の端部には、一方弁２６が先端に取り付けられた第１のパイロットバルーン２４が連結される。
【００３３】
また、本体１１からは、気管用カフ１５と連通する第２のインフレーションライン２３が延び、第２のインフレーションライン２３の端部には、一方弁２７が先端に取り付けられた第２のパイロットバルーン２５が連結される。パイロットバルーン２４、２５を、医師が押圧操作することにより、第１のインフレーションライン２２および第２のインフレーションラインをそれぞれ空気が通過して、気管支用カフ１６および気管用カフ１５のそれぞれが膨張する。なお、一方弁２６、２７の先端に設けられた通常は閉鎖されている開口を、先端の細い器具などで押すことにより、空気を逆流させて、気管支用カフ１６および気管用カフ１５を収縮させることができる。
【００３４】
図１に示すように、スリーブ部材１３、１４の上流側先端には、それぞれ、３つの入出力ポートを有するポート部材２０、２１が取り付けられる。
【００３５】
図１に示すダブルルーメンチューブ１０においては、右肺用開口部１７とポート部材２１とが連通し、左肺用開口部１９とポート部材２０とが連通している。
【００３６】
また、ポート部材２０、２１のそれぞれにおいて、第２ポート（垂直ポート）（たとえば、図２の第２ポート３４）の先端には、チューブ（図示せず）がそれぞれ連結される。これらチューブは、麻酔ガスを供給する麻酔ガス供給装置および人工呼吸器と連結される。
【００３７】
さらに、図１に示すように、本実施の形態においては、ポート部材２０、２１のそれぞれにおいて、第２ポート（垂直ポート）から、中空のインフレーションライン４１、４４が延びる。インフレーションライン４１の端部には、一方弁４３が先端に取り付けられたパイロットバルーン４２が連結される。また、インフレーションライン４４の端部には、一方弁４６が取り付けられたパイロットバルーン４５が連結される。
【００３８】
図２および図３は、それぞれ、本実施の形態にかかるポート部材２０の正面図および右側面図である。本実施の形態においては、ポート部材２０、２１の２つが利用されているが、これらは同一であるため、ポート部材２０のみについて説明する。
【００３９】
図２および図３に示すように、ポート部材２０の本体３０は、第１ポート３２、第２ポート（垂直ポート）３４および共通ポート３６という３つのポートを有している。第１ポート３２、第２ポート３４および共通ポート３６の先端は、それぞれ開口している（符号３３、３５、３７参照）。
【００４０】
第１ポート３２と共通ポート３６とは直線をなすように配置され、第２ポート３４は、第１ポート３２および共通ポート３６と直交するように配置される。
【００４１】
第１ポート３２、第２ポート３４および共通ポート３６の連結部分４０の内部では、共通ポート３６の通路、第１ポート３２の通路および第２ポート３４の通路が繋がっている。
【００４２】
図２に示すように、インフレーションライン４１は、下流側の端部で第２ポート３４の管体５０内に達し、当該端部はバルーン５１と連結される。また、インフレーションライン４１の上流側の端部ではパイロットバルーン４２が取り付けられ、医師が、パイロットバルーン４２を押圧することにより、インフレーションライン４１を介して、空気がバルーン５１に供給される。
【００４３】
空気が供給されていない状態（つまり収縮状態）では、バルーン５１は、図２および図３に示すように、管体５０の上部にほぼ密着した状態で収容されているのが望ましい。たとえば、バルーン５１の上側は部分的に管体５０の上側内壁に接着されている。これにより、収縮状態のバルーン５１は、管体５０の上部にほぼ密着した状態となる。ここで、接着とは接着剤により取り付けられること、および、圧力により接着されること（圧着）を含む。
【００４４】
バルーンは、たとえば、ポリ塩化ビニールやシリコンゴムにより形成される。しかしながら、これら材料に限定されるものではないことは言うまでもない。
【００４５】
図４（ａ）、（ｂ）は、管体５０およびバルーン５１をより詳細に示す断面図である。図４（ａ）に示すように、空気が供給されていない（つまり、脱気されている）第１の状態においては、管体５０の上部とほぼ密着するように収縮され、管体５０は連通した状態となる。
【００４６】
その一方、図４（ｂ）に示すように、バルーン５１に空気が供給されている（つまり、バルーン５１が膨張している）第２の状態においては、管体５０は膨張したバルーン５１により塞がれ、空気の連通が妨げられる。
【００４７】
なお、本実施の形態において、バルーン５１は、管体５０とは異なる色に着色され、膨張しているか収縮しているかを明確にしている。管体５０は一般的に半透明白色であるため、バルーン５１は、青色や橙色に着色しても良い。
【００４８】
図５は、本実施の形態にかかる一方弁の構成例を示す略断面図である。一方弁４３は、管体の中央部に位置する軸６１を有する。軸６１の上流側には、軸６１より半径が拡大した拡大部６２が設けられる。拡大部６２は、一方弁４３の上流側端部の付近に位置している。したがって、管体の半径より細い棒状の部材によって、拡大部６２の端部を押圧することが可能である。
【００４９】
また、一方弁４３の中央部６３の上流側には、管体の半径方向に突出した部分を有する上流側規制部材６５が配置される。また、中央部６３の下流側にも、管体の半径方向に突出した部分を有する下流側規制部材６６が配置される。
【００５０】
軸１９には、上流側規制部材６５の突出部と接触する円盤状の遮断部材６４が設けられている。上流側規制部材６５と遮断部材６４とが密着した状態で、流路が遮断され、これにより、一方弁４３における空気の連通が妨げられる。
【００５１】
遮断部材６４の下流側で、軸１９の周囲にはスプリング６７が配置される。スプリング６７は、下流側規制部材６６と、遮断部材６４との間に位置し、その弾性力により、遮断部材６４を上流側（図５における矢印の方向）に付勢する。したがって、通常は、スプリングの付勢力により、上流側規制部材６５と遮断部材６４とは密着した状態となる。
【００５２】
分離肺換気を行うために、本実施の形態にかかるダブルルーメンチューブ１０は、医師により気管に挿管される。気管用カフ１５が気管の所定の位置に達し、かつ、気管支用カフ１６が、左気管支の所定の位置に達した状態で、パイロットバルーン２４、２５を押圧操作することにより、気管支用カフ１６および気管用カフ１５は膨張する。
【００５３】
気管支用カフ１６が膨張することにより、左気管支は閉鎖され、左肺には、左肺用開口部１９を介して、空気等が供給されることになる。その一方、気管用カフ１５および気管支用カフ１６が膨張することにより、気管及び左気管支も閉鎖され、右肺には、右肺用開口部１７を介して、空気等が供給されるようになる。
【００５４】
本実施の形態にかかるダブルルーメンチューブ１０のポート部材２０、２１においては、初期的には、蓋４７，４８が閉じられ、かつ、バルーン５１が収縮した第１の状態にある。これにより、共通ポート３６と第２ポート３４とが連通する（図４（ａ））。したがって、両肺は、麻酔ガス供給装置および人工呼吸器と連通しているため、換気が行われ得る。
【００５５】
本実施の形態において、一方の肺の換気を止めて肺をしぼませる場合について説明する。右肺だけを換気して、左肺をしぼませる場合には、医師は、左気管支と連通するポート部材２０の蓋４７を開けて、かつ、パイロットバルーン４２を押圧操作してバルーン５１が膨張して管体５０を閉鎖する第２の状態とする（図４（ｂ））。これにより、共通ポート３６と第１ポート３２とが連通するため、左肺の空気が排出される。このようにして、左肺をしぼませることができる。
【００５６】
左肺を再度換気する場合には、医師は、蓋４７を閉じ、かつ、パイロットバルーン４２の端部に取り付けられた一方弁４３の軸６１の拡大部６２を、先端の細い器具等で押圧する。これにより、遮断部材６４は、スプリング６７の付勢力に抗して下流側に移動し、遮断部材６４と上流側規制部材６５との間に隙間が形成される。したがって、バルーン５１からの空気が一方弁４３を介して外部に排出され、バルーン５１が収縮した第１の状態となる。バルーン５１の収縮により共通ポート３６と第２ポート３４とが連通し、左肺の換気が再開される。
【００５７】
ここで、本実施の形態においては、ポート部材２０、２１の第２のポート３４において、バルーン５１は、管体５０とは異なる色に着色されている。したがって、バルーン５１が膨張した第２の状態であるときには、管体５０は異なる色のバルーン４１により塞がっていることが視認できる。
【００５８】
したがって、医師は、第２ポート３４が共通ポート３６と連通しているか、或いは、遮断されているかを直感的に即座に把握することが可能となり、誤ったポートの連結状態を防止することが可能となる。
【００５９】
また、ダブルルーメンチューブ１０の挿入位置を確認するために、気管支鏡（図示せず）をチューブ内に挿入する場合がある。気管支鏡およびそのチューブの直径は、ポート部材２０、２１の第１ポート３２の開口３３の直径と略同一である。
【００６０】
気管支鏡を挿入する場合には、パイロットバルーン４２を押圧操作してバルーン５１が膨張して管体５０を閉鎖する第２の状態にして、共通ポート３６と第１ポート３２とを連通させて、開口３３から気管支鏡およびそのチューブを送り込んでいけばよい。
【００６１】
上述したように、本実施の形態によれば、気管支鏡挿入の際にも、クランプを使用すること、バルーン５１を膨張させるために、パイロットバルーン４２を押圧操作するだけで良い。
【００６２】
本発明は、以上の実施の形態に限定されることなく、特許請求の範囲に記載された発明の範囲内で、種々の変更が可能であり、それらも本発明の範囲内に包含されるものであることは言うまでもない。
【００６３】
たとえば、前記実施の形態においては、第２ポート３４は、第１ポート３２および共通ポート３６と直交するように配置されている。しかしながら、第２のポートの向きはこれに限定されるものではなく、第１ポート３２および共通ポート３６と所定の角度をもって配置されていれば良い。
【００６４】
また、前記実施の形態においては、バルーン５１の上側は部分的に管体５０の上側内壁に接着され、収縮状態のバルーン５１は、管体５０の上部にほぼ密着した状態となる。しかしながら、これに限定されず、バルーンの下側が部分的に管体の下側内壁に接着され、かつ、インフレーションライン４１も下側からバルーン５１に連通し、収縮状態のバルーンが、管体の下部にほぼ密着した状態となっていても良い。
【図面の簡単な説明】
【００６５】
【図１】図１は、本発明実施の形態にかかる分離肺換気用ダブルルーメンチューブの構成例を示す斜視図である。
【図２】図２は、本実施の形態にかかるポート部材の正面図である。
【図３】図３は、本実施の形態にかかるポート部材の右側面図である。
【図４】図４（ａ）、（ｂ）は、本実施の形態にかかる管体およびバルーンをより詳細に示す断面図である。
【図５】図５は、本実施の形態にかかる一方弁の構成例を示す略断面図である。
【図６】図６は、従来の分離肺換気用ダブルルーメンチューブの例を示す斜視図である。
【符号の説明】
【００６６】
１１  本体
１２  分岐部材
１３  スリーブ部材
１４  スリーブ部材
１５  気管用カフ
１６  気管支用カフ
１７  右肺用開口部
１８  左気管支延長部
１９  左肺用開口部
２０、２１  ポート部材
２２、２３  インフレーションライン
２４、２５  パイロットバルーン
２６、２７  一方弁
３０  ポート部材の本体
３２  第１ポート
３３  第１ポートの開口
３４  第２ポート
３５  第２ポートの開口
３６  共通ポート
３７  共通ポートの開口
４０  連結部分
４１、４４  インフレーションライン
４２、４５  パイロットバルーン
４３  ４６  一方弁
４７、４８  蓋
５０  管体
５１  バルーン
６１  軸
６２  拡大部
６３  中央部
６４  遮断部材
６５  上流側規制部材
６６  下流側規制部材
６７  スプリング
【図１】
2009125184.tif 000003
【図２】
2009125184.tif 000004
【図３】
2009125184.tif 000005
【図４】
2009125184.tif 000006
【図５】
2009125184.tif 000007
【図６】
2009125184.tif 000008